(57)【特許請求の範囲】
【請求項１】
筒形状をなす本体を介して電気機器を天井に取り付けるためのアダプタであって、
天井にネジで固定される取付部を該本体の周壁の近傍に設け、電線差し込み接続式の中継用コネクタが位置可能な空間部を該取付部の内側に内壁を介して設け、該中継用コネクタが嵌合されて取り付けられる嵌合部を該内壁に設け、
該空間部は、その上下が開放されたものであり、
該中継用コネクタは、他の中継用コネクタとの嵌合部を側面に有しており、一の中継用コネクタの嵌合部と他の中継用コネクタの嵌合部とが嵌合して、複数が並列に連結可能なものであることを特徴とする電気機器のアダプタ。
【請求項２】
該中継用コネクタは、他の中継用コネクタとの嵌合部して、一方の側面に凸部を有すると共に他方の側面に凹部を有し、一の中継用コネクタの凸部と他の中継用コネクタの凹部とが嵌合して、複数が並列に連結可能なものであり、
該内壁の嵌合部は、該中継用コネクタの凸部と嵌合する凹部であることを特徴とする請求項１又は２記載の電気器のアダプタ。
【請求項３】
該内壁は、両端が該周壁に至って結合し、該取付部の部分を補強するリブを兼ねたものであることを特徴とする請求項１又は２記載の電気機器のアダプタ。
【請求項４】
該中継用コネクタは、該嵌合部に着脱自在に取り付けられるものであり、
該内壁の嵌合部は、該中継用コネクタがその配線方向を略水平方向に向けて取り付けられるものであり、又、該本体の高さは、該中継用コネクタの高さと略同じであり、
該嵌合部は、該本体の天井側から該中継用コネクタが差し込まれる受け部であり、
該電気機器が火災感知器であり、又、接続される電線がテープケーブルであることを特徴とする請求項１乃至３の何れか記載の電気機器のアダプタ。
【請求項５】
該火災感知器は、取付ベースを介して天井に取り付けられることを特徴とする請求項４記載の電気機器のアダプタ。
【発明の詳細な説明】
【技術分野】
【０００１】
この発明は、天井へ電気機器（例えば火災感知器等）を取り付けるのに用いられるアダプタに関する。
【背景技術】
【０００２】
従来、電気機器を天井に取り付ける場合、電気機器を天井面にビス止めして取り付けるか、天井に形成した開口に嵌め込んで取り付けるかするのが一般的であったが、いずれの場合も電気機器側の電線と天井裏等に敷設された給電線等の電気配線側の電線との結線は圧着部材により行なわれていた。
【０００３】
近年、建物のスケルトン（柱、梁等の構造躯体）とインフィル（内装等）とを分離した工法による所謂スケルトン・インフィル住宅（ＳＩ住宅）が特に集合住宅において増えてきている。ＳＩ住宅において、電気配線をスケルトン部分からは分離させてインフィル部分に設けるべく、厚みの薄い平形の電線、所謂テープケーブルを例えば天井へ貼り付けて電気配線する工法を採用しているものがある。そのようなテープケーブルを用いて電気配線された天井に電気機器を取り付ける場合の工法等について開示した文献として、特許第３８７３９３７号（特許文献１）がある。この特許文献１に開示の工法においても、電気機器側の電線とテープケーブルとの結線は圧着部材により行なわれている。
【０００４】
【特許文献１】特許第３８７３９３７号公報
【発明の開示】
【発明が解決しようとする課題】
【０００５】
従来においては、電気機器を天井に取り付ける際、電気機器側の電線と給電線等の電気配線側の電線との結線は圧着部材により行なっていたので、その結線の作業に時間を要していた。
【０００６】
この発明は、前記の事情に鑑み、電気機器側の電線と給電線等の電気配線側の電線との結線作業を容易に行なうことができ、電気機器の天井への取付作業を容易に行なうことができる電気機器のアダプタを提供することを目的とする。
【課題を解決するための手段】
【０００７】
この発明は、筒形状をなす本体を介して電気機器を天井に取り付けるためのアダプタであって、天井にネジで固定される取付部を該本体の周壁の近傍に設け、電線差し込み接続式の中継用コネクタが位置可能な空間部を該取付部の内側に内壁を介して設け、該中継用コネクタが嵌合されて取り付けられる嵌合部を該内壁に設け、該空間部は、その上下が開放されたものであり、該中継用コネクタは、他の中継用コネクタとの嵌合部を側面に有しており、一の中継用コネクタの嵌合部と他の中継用コネクタの嵌合部とが嵌合して、複数が並列に連結可能なものであることを特徴とする電気機器のアダプタである。
【０００８】
又、この発明は、該電気機器のアダプタであって、該中継用コネクタは、他の中継用コネクタとの嵌合部して、一方の側面に凸部を有すると共に他方の側面に凹部を有し、一の中継用コネクタの凸部と他の中継用コネクタの凹部とが嵌合して、複数が並列に連結可能なものであり、該内壁の嵌合部は、該中継用コネクタの凸部と嵌合する凹部であることを特徴とすることを特徴とする電気機器のアダプタである。
【０００９】
又、この発明は、該電気機器のアダプタであって、該内壁は、両端が該周壁に至って結合し、該取付部の部分を補強するリブを兼ねたものであることを特徴とする電気機器のアダプタである。
【００１０】
又、この発明は、該電気機器のアダプタであって、該中継用コネクタは、該嵌合部に着脱自在に取り付けられるものであり、該内壁の嵌合部は、該中継用コネクタがその配線方向を略水平方向に向けて取り付けられるものであり、又、該本体の高さは、該中継用コネクタの高さと略同じであり、該嵌合部は、該本体の天井側から該中継用コネクタが差し込まれる受け部であり、該電気機器が火災感知器であり、又、接続される電線がテープケーブルであることを特徴とする電気機器のアダプタである。
【００１１】
又、この発明は、該電気器のアダプタであって、該火災感知器は、取付ベースを介して天井に取り付けられることを特徴とする電気機器のアダプタである。
【発明の効果】
【００１２】
この発明によれば、電気機器側の電線と給電線等の電気配線側の電線と結線に電線差し込み接続式の中継用コネクタを利用することが可能であり、その中継用コネクタを利用することで、電気機器側の電線と給電線等の電気配線側の電線との結線作業を容易に行うことができ、電気機器の天井への取付作業を容易に行うことができる。
【００１３】
又、この発明によれば、中継用コネクタが嵌合部に着脱自在に取り付けられるものとすることで、中継用コネクタで電気機器側の電線と電気配線側の電線とを結線後に、中継用コネクタをアダプタに取り付けてもよいし、中継用コネクタをアダプタに取り付け後に、中継用コネクタで電気機器側の電線と電気配線側の電線とを結線してもよい。従って、結線作業の自由度を増すことができる。
【００１４】
又、この発明によれば、嵌合部が中継用コネクタがその配線差込方向を略水平方向に向けて取り付けられるものとし、又本体の高さが中継用コネクタの高さと略同じものとすることで、アダプタの高さを低くすることができ、即ちアダプタを小型のものとすることができる。
【００１５】
又、この発明によれば、嵌合部が本体の天井側から中継用コネクタが嵌入される受け部を有するものとすることで、簡易な構成によって、中継用コネクタをアダプタに容易に取り付けることができながら、中継用コネクタのアダプタからの脱落を防ぐこともできる。
【００１６】
又、この発明は、電気機器を火災感知器又はそれとその取付ベースとすることができ、又電気配線側の電線をテープケーブルとすることができる。
【発明を実施するための最良の形態】
【００１７】
この発明の実施の形態を電気機器が火災感知器であり、且つそれが取付ベースを有するものである場合を例に図１乃至９に基づき説明する。尚、図１はアダプタ本体の火災感知器が取り付けられる側を示す正面図、図２は同上の天井へ取り付けられる側を示す背面図、図３は同上の図１と同じ側を示す斜視図、図４は中継用コネクタが取り付けられた状態における図１に相当する図、図５は同上の状態における図２に相当する図、図６は同上の状態における図３に相当する図、図７はの更に火災感知器がその取付ベースと共に組み付けられている状態における図１に相当する図、図８は図７のＡ−Ａ線断面図、図９は同上の状態における側面図である。
【００１８】
図１乃至３に示される様に、アダプタ１は筒形状をなす本体２からなり、本体２には、その周壁３の内側に近接して天井へのネジ止め固定用の挿通孔を有する取付部４、４が本体２の径方向に対称の位置に一対設けられており、その取付部４、４のそれぞれの内側に内面が本体２内の中空部５に面する内壁６、６が設けられている。内壁６、６の内側は中空部５となっており、即ち本体２の取付部４、４の内側に内壁６、６を介して後に説明する電線差し込み接続式の中継用コネクタ８が位置可能な上下が開放された空間部７が中空部５によって設けられている。更に、内壁６、６の内面には中継用コネクタ８が嵌合して取り付けられる嵌合部９、９が設けられている。又、内壁６、６は直状に延在して両端が周壁３に至って結合されるものとなっており、機械的負荷が集中する取付部４、４の部分を補強するリブを兼ねたものとなっている。尚、１０、１０は後に説明する火災感知器１１の取付ベース１２を係合する係止片である。
【００１９】
図４乃至図６、更には図７及び図８に示される様に、本体２には、嵌合部９、９と嵌合して中継用コネクタ８が空間部７の位置にその電線の差し込み方向が水平方向に向く状態で取り付け可能となっている。尚、本体２は、中継用コネクタ８の取り付けが可能でありながらも小型のものにできるように、中継用コネクタ８の高さと略同じとなっている。
【００２０】
中継用コネクタ８は、いわゆる差込み端子方式と呼ばれるもので、略角柱状の長手方向の両端面にそれぞれ差し込み孔８ａを設けている。そして、中継用コネクタ８を差し込み孔８ａ近傍の解除ボタン（図示せず）を押した状態で、差し込み孔８ａから挿入された電線は内部の中継端子（図示せず）まで到達する。その後、解除ボタンを離すと、各電線は中継端子とバネ部品（図示せず）で挟時されて互いに電気的に接続される。また、中継用コネクタ８は、例えば、適用電線範囲を単線はφ０．４〜φ１．６ｍｍ、撚り線は０．２ｍｍ2〜２．０ｍｍ2までとすることで、電気配線側の電線がテープケーブル（単線：φ０．５ｍｍ）であり、火災感知器１１側の電線が（単線：φ０．９ｍｍ又はφ１．２ｍｍ）である場合などを含めて多種類の電線同士を接続することができる。さらに中継用コネクタ８は、一方の側面に凸部を他方の側面に凹部を他のコネクタとの嵌合部として有し、その嵌合部の嵌合によって並列して連結ができる中継用コネクタが利用できる様になっており、本体２の嵌合部９、９は中継用コネクタ８の嵌合部に合うものとなっている。具体的には、嵌合部９、９は天井に取り付けられる側から中継用コネクタ８の一方の側面の凸部が差し込まれてそれと嵌合する受け部となっており、更に具体的には、内壁６、６の内面に天井に取り付けられる側から徐々に幅細に形成された凹部となっており、凹部である嵌合部９、９に天井に取り付けられる側から中継用コネクタ８の一方の側面に設けられた凸部が差し込まれて中継用コネクタ８と嵌合するものとなっている。これにより、図に示される様に中継用コネクタ８を複数並列に本体２に取り付けることができる様になっており、結線する電線の数が多い場合にも対応可能となっている。
【００２１】
図７乃至９は、アダプタ１に火災感知器１１がその取付ベース１２と共に組み付けられている状態を示したものであるが、図に示される様に火災感知器１１は取付ベース１２を介してアダプタ１に組みつけられる様になっている。アダプタ１を利用して火災感知器１１を天井に取り付ける際には、先ず、アダプタ１の天井に取り付けられる側から中継用コネクタ８を必要数並べて嵌合部９に嵌合させて取り付け、給電線や信号線等の電気配線側の電線と火災感知器１１側の電線とを中継用コネクタ８の差し込み孔８ａに差し込んで結線をし、取付ベース１２をアダプタ１に取付ベース１２に設けられた取付用のネジ孔１３、１３をアダプタ１の取付部４、４と位置を合わせつつ、係止片１０、１０によって組み付けた上で、ネジ孔１３、１３及び取付部４、４にネジを挿通させて、アダプタ１及び取付ベース１２を共締めしてネジで天井に固定し、そして取付ベース１２に火災感知器１１を取り付けることで、火災感知器１１の天井への取り付けができる。尚、中継用コネクタ８への結線作業と中継用コネクタ８とアダプタ１の嵌合作業とは順番を入れ替えてもよい。
【００２２】
又、電気配線側の電線がテープケーブルである場合、テープケーブルは天井に貼り付けられて水平方向に配線されており、アダプタ１に取り付けられた状態における中継用コネクタ８の差し込み孔８ａがその電線の差し込み方向も水平方向に向けていることから、テープケーブルを水平の配線方向をほぼそのままに中継用コネクタ８の差し込み孔８ａに差し込むことができ、ケーブルは十分な曲げ半径を有して中継用コネクタ８の差し込み孔８ａに差し込むことができ、テープケーブルに付着した水滴が中継用コネクタ８の差し込み孔８ａに入るのを防ぐことができる。
【００２３】
以上アダプタ１を取付ベース１２を介して取り付けられる火災感知器１１を天井に取り付けるのに利用する場合を例に説明したが、アダプタ１は取付ベースを介さずに取り付けられる火災感知器を天井に取り付けるのにももちろん利用することができる。
【図面の簡単な説明】
【００２４】
【図１】この発明の電気機器のアダプタの実施の形態を示し、アダプタの電気機器が取り付けられる側を示す正面図である。
【図２】同上を示し、アダプタの天井へ取り付けられる側を示す背面図である。
【図３】同上を示し、図１と同じ側を示す斜視図である。
【図４】同上を示し、アダプタに中継用コネクタが取り付けられた状態における図１に相当する図である。
【図５】同上を示し、同上の状態における図２に相当する図である。
【図６】同上を示し、同上の状態における図３に相当する図である。
【図７】同上を示し、更に電気機器（火災感知器及びその取付ベース）が組みつけられた状態における図１に相当する図である。
【図８】同上を示し、図７のＡ−Ａ線断面図である。
【図９】同上を示し、同上の状態における側面図である。
【符号の説明】
【００２５】
１    アダプタ
２    本体
３    周壁
４    取付部
５    中空部
６    内壁
７    空間部
８    中継用コネクタ
８ａ  差し込み孔
９    嵌合部
１０  係止片
１１  火災感知器
１２  取付ベース
１３  ネジ孔
【図１】
0005154259.tif 000002
【図２】
0005154259.tif 000003
【図３】
0005154259.tif 000004
【図４】
0005154259.tif 000005
【図５】
0005154259.tif 000006
【図６】
0005154259.tif 000007
【図７】
0005154259.tif 000008
【図８】
0005154259.tif 000009
【図９】
0005154259.tif 000010